(57)【要約】【課題】風呂混合弁からの給水の給湯側への逆流を阻止しながら風呂給湯が良好に行われる貯湯式給湯装置を提供する。【解決手段】風呂出湯管１１には風呂混合弁１０側への流通のみ可能とし逆の流通を阻止する逆止弁１４を備えると共に、この逆止弁１４とは並列に風呂給湯時開成される電磁弁１５を設け、前記電磁弁１５の開閉を検知し風呂給湯時閉成状態では、風呂混合弁１０の給水側流量を逆止弁１４側の給湯流量に合わせるように絞り制御する流量制御手段１９を備えたので、電磁弁が故障しても風呂給湯はアンダーシュートを起こしたり、風呂設定温度を高温に設定出来なかったりすることがなく、常に良好な風呂給湯が行えるものであり、恒久的な対策とすることが出来るものである。【選択図】  図１
2010065920.tif 000002
【特許請求の範囲】
【請求項１】
加熱手段で加熱された温水を貯湯する貯湯タンクと、該貯湯タンク下部には給水を補給する給水管が接続し、貯湯タンク上部には高温水を出湯する出湯管が接続され、この出湯管から出湯される高温水と、給水管から分岐した第１給水バイパス管からの給水とを混合して設定温度の給湯を行う給湯混合弁と、前記出湯管から分岐した風呂出湯管からの高温水と、給水管或いは第１給水バイパス管から分岐した第２給水バイパス管からの給水とを混合して設定温度の風呂給湯を行う風呂混合弁とを備えたものに於いて、前記風呂出湯管には風呂混合弁側への流通のみ可能とし逆の流通を阻止する逆止弁を備えると共に、この逆止弁とは並列に風呂給湯時開成される電磁弁を設け、前記電磁弁の開閉を検知し風呂給湯時閉成状態では、風呂混合弁の給水側流量を逆止弁側の給湯流量に合わせるように絞り制御する流量制御手段を備えた事を特徴とする貯湯式給湯装置。
【発明の詳細な説明】
【技術分野】
【０００１】
この発明は、貯湯タンクの貯湯温水を風呂給湯に良好に使用出来るようにした貯湯式給湯装置に関するものである。
【背景技術】
【０００２】
従来よりこの種のものでは、貯湯タンク上部に接続された出湯管からの高温水と、第１給水バイパス管からの給水とを混合して設定温度の給湯を行う給湯混合弁と、前記出湯管から分岐した風呂出湯管からの高温水と、給水管から分岐した第２給水バイパス管からの給水とを混合して設定温度の風呂給湯を行う風呂混合弁とを備え、更にこの風呂出湯管には第２給水バイパス管からの給水の逆流を防止する為の逆止弁が設けられており、風呂給湯停止時に風呂混合弁が密閉状態でないので、ここから給水が逆流して出湯管に流入し、給湯温度が下がると言う課題を解決するものであった。（例えば、特許文献１参照。）
【特許文献１】特開２００７−３０５６号公報
【発明の開示】
【発明が解決しようとする課題】
【０００３】
ところでこの従来のものでは、風呂給湯時に逆止弁が大きな流通抵抗となり、風呂出湯管からの高温水の小流量に対して、第２給水バイパス管からの給水が大流量となり、どうしてもアンダーシュートが起こり設定温度での風呂給湯や高温の湯張りが出来ないなどの不具合が発生するものであった。
そこでこの不具合を防止する為に、逆止弁と並列に電磁弁を設け、この電磁弁を風呂給湯開始時に開成することで、風呂出湯管側の流通抵抗を減少させて前記不具合を解消出来るが、断線等で電磁弁が開成されない場合にはやはり不具合が発生し、抜本的な改善は出来ていないものであった。
【課題を解決するための手段】
【０００４】
この発明はこの点に着目し上記欠点を解決する為、特にその構成を、加熱手段で加熱された温水を貯湯する貯湯タンクと、該貯湯タンク下部には給水を補給する給水管が接続し、貯湯タンク上部には高温水を出湯する出湯管が接続され、この出湯管から出湯される高温水と、給水管から分岐した第１給水バイパス管からの給水とを混合して設定温度の給湯を行う給湯混合弁と、前記出湯管から分岐した風呂出湯管からの高温水と、給水管或いは第１給水バイパス管から分岐した第２給水バイパス管からの給水とを混合して設定温度の風呂給湯を行う風呂混合弁とを備えたものに於いて、前記風呂出湯管には風呂混合弁側への流通のみ可能とし逆の流通を阻止する逆止弁を備えると共に、この逆止弁とは並列に風呂給湯時開成される電磁弁を設け、前記電磁弁の開閉を検知し風呂給湯時閉成状態では、風呂混合弁の給水側流量を逆止弁側の給湯流量に合わせるように絞り制御する流量制御手段を備えたものである。
【発明の効果】
【０００５】
以上のようにこの発明によれば、通常時は逆止弁と電磁弁の並列管路で、給水の逆流を防止しながら良好な風呂給湯を得ることが出来るものであり、又電磁弁が故障して風呂給湯時閉成状態では、これを流量制御手段が検知し風呂混合弁からの給水流量を、逆止弁付きの風呂出湯管に合わせるように制御することで、電磁弁が故障しても風呂給湯はアンダーシュートを起こしたり、風呂設定温度を高温に設定出来なかったりすることがなく、常に良好な風呂給湯が行えるものであり、恒久的な対策とすることが出来るものである。
【発明を実施するための最良の形態】
【０００６】
次にこの発明の一実施形態を図示した貯湯式給湯装置に基づいて説明する。
１は円筒状の貯湯タンクで、二酸化炭素冷媒を用いたヒーポンユニットから成る加熱手段２を利用し、時間帯別契約電力の電力単価が安価な深夜時間帯に湯水を沸き上げて貯湯するものであり、下部には給水を補給する給水管３が接続し、上部には貯湯した高温水を給湯栓（図示せず）等に出湯する出湯管４が接続されている。
【０００７】
５は一方に出湯管４を、他方には給水管３から分岐した第１給水バイパス管６を、中央には給湯管７が接続したＳＡＭ方式（形状記憶合金内蔵方式）の電動三方弁から成る給湯混合弁で、出湯管４からの高温水と第１給水バイパス管６からの給水とを混合して、台所リモコン８で設定された給湯設定温度となるようにして供給するものであり、給湯管７に備えた給湯サーミスタ９による給湯温度と給水温度と給湯設定温度から、出湯管４の湯側開度と第１給水バイパス管６の水側開度をフィードフォワード制御で調整するものである。
【０００８】
１０は一方には出湯管４から分岐した風呂出湯管１１を接続し、他方には第１給水バイパス管６から分岐した第２給水バイパス管１２を、中央を風呂循環回路（図示せず）に接続した電動三方弁から成る風呂混合弁で、風呂出湯管１１からの高温水と第２給水バイパス管１２からの給水とを混合して、浴室リモコン１３で設定された設定温度となるようにして湯張り等の風呂給湯するものであり、出湯温度と給水温度と風呂設定温度とから、風呂出湯管１１の湯側開度と第２給水バイパス管１２の水側開度をフィードフォワード制御で調整するものである。
【０００９】
１４は風呂出湯管１１に備えられた風呂混合弁１０側への流通のみ可能とし逆の流通を阻止する逆止弁で、この逆止弁１４とは並列に接続された電磁弁１５がバイパス路１６に設けられ、この電磁弁１５はマイコンから成るタンク制御回路１７によって制御されるものであり、台所リモコン８や浴室リモコン１３の湯張り、足し湯等の風呂給湯操作により、タンク制御回路１７を介して開成され、湯張りや足し湯の終了で閉成されるものであり、更にバイパス路１６には電磁弁１５の開閉を検知するフローセンサ１８が備えられ、タンク制御回路１７からの開成信号でも電磁弁１５が開成しない時には、フローセンサ１８がこれを検知してタンク制御回路１７内の流量制御手段１９が、風呂混合弁１０の給水側流量を予め設定された逆止弁１４を通過する流量と同等の流量に制御するものである。
【００１０】
２０は出湯管４に備えられ出湯温度を検出するサーミスタから成る出湯温度センサ、２１は給水管３の減圧弁２２より上流側に備えられた遮断弁で、前記出湯温度センサ２０が検知する出湯温度が給湯設定温度以下で閉弁して、給湯を自動停止するものであり、又この遮断弁２１は、貯湯タンク１や各配管等からの漏水を検知して給水管３を閉弁する緊急遮断弁も兼用しているもので、こちらの作動を優先させるものである。
【００１１】
２３は貯湯タンク１と加熱手段２とを湯水が循環可能に接続する往き管２４と戻り管２５と循環ポンプ２６とで構成された加熱循環回路である。
２７、２８、２９、３０は貯湯タンク１外周面の上下に備えられた貯湯温度センサであり、３１は給水管３途中に設けられた給水サーミスタであり、３２は出湯管４に備えられた圧力逃がし弁である。
【００１２】
次にこの一実施形態の作動について説明する。
今契約電力の深夜時間帯では、加熱循環回路２３によって貯湯タンク１下部の低温水を加熱手段２で沸き上げて、高温水を貯湯タンク１上部に戻し、順次この循環を繰り返して午後２３時から翌朝７時迄に貯湯タンク１内全体に高温水を貯湯するようにするものである。
【００１３】
そして、この貯湯タンク１内の高温水を、給湯混合弁５で出湯管４からの高温水と第１給水バイパス管６からの給水とを混合して、給湯設定温度の温水として給湯に利用するものである。
【００１４】
次に湯張り等の風呂給湯を行う場合、台所リモコン８や浴室リモコン１３で湯張りを指示することで、タンク制御回路１７がバイパス路１６の電磁弁１５を開成させると共に、風呂混合弁１０を駆動させて閉成状態の風呂出湯管１１を徐々に開成することで、貯湯タンク１上部からの高温水が風呂出湯管１１の逆止弁１４及びバイパス路１６の電磁弁１５を介して供給され、一方第２給水バイパス管１２からは給水が供給され、そしてこの高温水と給水とは風呂混合弁１０で、タンク制御回路１７により出湯温度と給水温度と風呂設定温度とから、風呂出湯管１１の湯側開度と第２給水バイパス管１２の水側開度をフィードフォワード制御で調整され、高温水及び給水共に十分な流量で良好な風呂給湯が行われるものである。
【００１５】
更に上記の風呂給湯時に、電磁弁１５が故障等で開成しなかった場合には、この電磁弁１５の閉成故障をバイパス路１６のフローセンサ１８が、タンク制御回路１７からは開成の指示なのに流水がないことで検知し、これによりタンク制御回路１７内の流量制御手段１９が、風呂混合弁１０の水側開度を絞り給水側流量を予め設定された逆止弁１４を通過する流量に制御するので、風呂出湯管１１から逆止弁１４のみを通過して供給される高温水流量と風呂混合弁１０で絞られた給水流量が同等となって、電磁弁１５が故障で閉成状態でも大きなアンダーシュートや風呂設定温度を高温に設定出来なかったりすることがなく、常に良好な風呂給湯が行えるものであり、恒久的な対策とすることが出来るものである。
【００１６】
又風呂給湯停止時には、風呂出湯管１１には逆止弁１４と電磁弁１５によって、出湯管４への給水の逆流は確実に阻止されるので、給湯温度が下がると言う不具合は従来通り防止出来るものである。
【図面の簡単な説明】
【００１７】
【図１】この発明の一実施形態を示す貯湯式給湯装置の概略説明図。
【図２】同要部電気回路のブロック図。
【図３】同要部のフローチャート。
【符号の説明】
【００１８】
１  貯湯タンク
２  加熱手段
３  給水管
４  出湯管
５  給湯混合弁
６  第１給水バイパス管
１０  風呂混合弁
１１  風呂出湯管
１２  第２給水バイパス管
１４  逆止弁
１５  電磁弁
１６  バイパス管
１７  タンク制御回路
１８  フローセンサ
１９  流量制御手段
【図１】
2010065920.tif 000003
【図２】
2010065920.tif 000004
【図３】
2010065920.tif 000005